(57)【要約】【課題】  構成が簡素で安価に製造でき、液晶画面の細部にわたって塵埃を手軽に取り除くことのできる画面クリーナが望まれている。【解決手段】  画面クリーナ１は、一面に粘着面６が形成された可撓性を有するシート状本体２の両端部２ａ，２ａに、１対の把手用シート片３，３がシート状本体２の粘着面６に向けて折り返し部４，４の位置で折り返し自在に設けられるとともに、１対の把手用シート片３，３がシート状本体２の粘着面６を開閉自在に被覆するように形成されている。また、シート状本体２における粘着面６と反対側の他面２ｂには広告画像を表した表示領域が設けられている。【選択図】      図２
0003111305.tif 000002
【実用新案登録請求の範囲】
【請求項１】
一面に粘着面が形成された可撓性を有するシート状本体の両端部に、１対の把手用シート片がシート状本体の粘着面に向けて折り返し自在に設けられるとともに、前記１対の把手用シート片がシート状本体の粘着面を開閉自在に被覆するように形成されていることを特徴とする画面クリーナ。
【請求項２】
シート状本体における粘着面と反対側の他面に、広告画像を表した表示領域が設けられている請求項１に記載の画面クリーナ。
【考案の詳細な説明】
【技術分野】
【０００１】
本考案は、例えばテレビ、パソコン、デジタルカメラ、携帯電話などの液晶画面の表面に付着している塵や埃を除去するのに適した簡易式の画面クリーナに関する。
【背景技術】
【０００２】
従来、この種のクリーナとしては、粘着面を外側にしたシートを巻いたシートロールを把手付き支持具に回動自在に取り付けたものが知られており、例えば下記の特許文献１に記載されている。このクリーナは、把手を持ってシートロールを液晶画面の表面で転動させることにより、液晶画面の塵埃をシートロールの粘着面に付着させて除去するようになっている。塵埃の付着により粘着面の粘着力がなくなったときは、ロール１週分余りのシートをシートロールから引き出して切除することにより、新しい粘着面がロール外周面に現れて再使用できるようになっている。
【０００３】
【特許文献１】特開２００３−２５０７４３号公報
【考案の開示】
【考案が解決しようとする課題】
【０００４】
ところで、上記した文献記載のクリーナは、比較的構成が大掛かりで嵩張り、机上で使用するには不便であり高価であった。また、液晶画面と画面外枠との間に段差がある場合、段差部分の隅部までロール曲面の粘着面が届かず、その部分に塵埃が残るという問題がある。実際上、携帯電話、デジタルカメラ、携帯式ゲーム機などに常用される小型の液晶画面に対しては、使用できないのが実情である。
【０００５】
本考案は、上記した従来の問題点に鑑みてなされたものであって、構成が簡素で安価に製造でき、液晶画面の細部にわたって塵埃を手軽に取り除くことのできる画面クリーナの提供を目的とする。
【課題を解決するための手段】
【０００６】
上記目的を達成するために、本考案に係る画面クリーナは、一面に粘着面が形成された可撓性を有するシート状本体の両端部に、１対の把手用シート片がシート状本体の粘着面に向けて折り返し自在に設けられるとともに、前記１対の把手用シート片がシート状本体の粘着面を開閉自在に被覆するように形成されているものである。
【０００７】
また、前記構成において、シート状本体における粘着面と反対側の他面に、広告画像を表した表示領域が設けられているものである。
【考案の効果】
【０００８】
本考案に係る画面クリーナでは、１対の把手用シート片を、これまで被覆していたシート状本体から開くと粘着面が露出し、引き続き１対の把手用シート片を展開すると、シート状本体が湾曲して１対の把手用シート片を一体に合わせることができる。この状態で、１対の把手用シート片を指で摘み、外側に露出した粘着面を液晶画面の表面に着けたり離したりすることで、液晶画面の塵埃を付着除去することができる。すなわち、本考案に係る画面クリーナは、構成が簡素で小型軽量であって安価に提供され、液晶画面の細部にわたって簡便に掃除することができる。
【０００９】
また、シート状本体の他面に、キャラクター、風景、またはキャッチフレイズなどの広告画像を表した表示領域が設けられている場合は、画面クリーナの見た目がよく購買意欲をそそることができる。
【考案を実施するための最良の形態】
【００１０】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る画面クリーナの外観図、図２は図１におけるＹ−Ｙ矢視断面図である。
各図において、この実施形態に係る画面クリーナ１は、平面視長方形状のシート状本体２と、シート状本体２の両端部２ａ，２ａにシート状本体２の長手方向外向きにそれぞれ延在して連結された１対の把手用シート片３，３とから構成されている。
【００１１】
上記のシート状本体２は、可撓性を有する例えばポリプロピレン樹脂フィルム製で厚さ８０μｍ程度の基材シート５と、基材シート５の一面（図２では上面）にゴム系粘着剤などを塗布して形成された厚さ２０μｍ程度の粘着面６とから成っている。シート状本体２の他面２ｂ（図２では下面）には、キャラクター、風景、またはキャッチフレイズなどの広告画像９を印刷するための表示領域１１（図７（ａ）参照）が確保されている。
【００１２】
上記１対の把手用シート片３，３は、指で摘んで取り扱えるように適度の堅さを持った０．５ｍｍ厚程度の紙シート７と、紙シート７の片面にフッ素系樹脂剥離剤（層厚１０μｍ程度）を塗布して形成された剥離面８とから成っている。また、１対の把手用シート片３，３は、シート状本体２の粘着面６を覆ったときに剥離面８が粘着面６と接する側となるように配置され、粘着面６全面を両方の把手用シート片３，３で被覆可能な寸法と平面形状に形成されている。すなわち、シート本体２の両端部２ａ，２ａ側の折り返し部４，４の位置で折り曲げられることにより、１対の把手用シート片３，３がシート本体２の粘着面６に向けて或いは粘着面６と反対側の他面２ｂに向けて折り返しできるようになっている。これらの把手用シート片３，３は例えば接着剤でシート状本体２に接続されている。
【００１３】
上記した構成の画面クリーナ１を使用するに際しては、図３に示すように、まず両方の把手用シート片３，３をそれぞれ矢印Ａ，Ａ方向に開いて展開し、シート状本体２の粘着面６全面を露出させる。更に把手用シート片３，３をそれぞれ矢印Ｂ，Ｂ方向に回すと、基材シート５を内側にしてシート状本体２が湾曲し、図４に示すように、把手用シート片３，３の紙シート７，７が背中合わせとなる。この状態で画面クリーナ１の把手用シート片３，３を指で摘んで、矢印Ｃのように液晶画面１０に近づける。そして、図５に示すように、液晶画面１０にシート状本体２を着けると、液晶画面１０の表面１０ａの塵埃Ｄ，Ｄ，Ｄ，・・・がシート状本体２の粘着面６に付着する。続いて、図６に示すように、把手用シート片３，３を引いてシート状本体２を液晶画面１０から矢印Ｅのように引き離すと、粘着面６に付着した塵埃Ｄ，Ｄ，Ｄ，・・・が液晶画面１０から取り除かれて清浄な表面１０ｂが現れる。このような、液晶画面１０に対するシート状本体２の着け離し動作を繰り返すことにより、液晶画面１０の表面全体にわたって清浄化することができる。
かかる画面クリーナ１は、上記のように構成が簡素で小型軽量であり極めて安価に提供される。また、１枚ずつ簡単にあるいは液晶画面１０の隅々まで使用することができ、使用後はそのまま使い捨てできて後始末の手間がかからない。
【００１４】
一方で、図４から図６に示した態様で画面クリーナ１を使用する場合は、液晶画面１０の平らな面の塵取りに適しているが、外枠との間に段差のある液晶画面１０の辺部や隅部では使用し難い。そこで、この画面クリーナ１では、図７（ａ）示すように、シート状本体２の基材シート５を図の手前側に配置した状態で、図に向かって左側の把手用シート片３を矢印１３のように折り返すと、２点鎖線１２の位置で谷折りとなる折り曲げ部１５が得られる（図７（ｂ））。次に、右側の把手用シート片３を矢印１７のように折り返すと、２点鎖線１２上端の点１４から右斜め下に向かう２点鎖線１６の位置で谷折りとなる折り曲げ部１８が得られる（図７（ｃ））。すると、点１４の位置で先鋭な尖端部２１が形成される。このとき、シート状本体２の表裏いずれ側にも粘着面６が現れている。
【００１５】
そこで、前記のように尖端部２１を形成した画面クリーナ１を用いると、パソコンや液晶テレビの液晶ディスプレーを隅々にわたって掃除することができる。すなわち、図８に示すように、液晶ディスプレー１９の液晶画面１０の表面１０ａと外枠２２との間の辺部や隅部２０に画面クリーナ１の尖端部２１を差し込むことができる。これにより、液晶画面１０の辺部や隅部２０の塵埃Ｄを尖端部２１の粘着面６に付着させることができ、液晶画面１０の隅々にわたって塵埃Ｄを取り除くことが可能となる。他方で、画面クリーナ１では、シート状本体２の他面２ｂにキャラクター画である広告画像９を印刷した表示領域１１が設けられているので、見た目がよく、購買意欲もそそられる。
【００１６】
尚、上記の実施形態では、平面視長方形状の画面クリーナを例示したが、本考案はそれに限定されるものでなく、シート状本体や把手用シート片の平面形状として、例えば円形、楕円形、三角形、多角形、キャラクター形状、その他の形状に形成することができる。また、シート状本体の基材シートおよび粘着面の寸法や厚さ、把手用シート片の紙シートおよび剥離面の寸法や厚さも、上述した数値に限定されない。また、１対の把手用シート片の折り返し位置は、上記したようなシート状本体２の両端部２ａ，２ａにおける折り返し部４，４に限られない。例えば、シート状本体との連結部近傍の把手用シート片自体に把手用シート片の折り返し部を設けても構わない。
【００１７】
そして、可撓性を有する基材シートの素材としてはポリプロピレン樹脂フィルム以外に、ポリエチレン樹脂フィルム、ポリエステル樹脂フィルム、ポリアミド樹脂フィルムなどを使用することができる。粘着面の素材としてはゴム系粘着剤以外に、アクリル樹脂系粘着剤、ウレタン樹脂系粘着剤などを使用することができる。紙シート７の素材としては、例えばグラシン紙、上質紙、あるいはこれらの紙材に熱可塑性樹脂をラミネートしたものなどの使用が可能である。剥離面８の素材としてはフッ素系樹脂以外に、アクリル系樹脂、ポリオレフィン系樹脂などの非シリコーン系剥離剤を使用することが好ましい。このような非シリコーン系剥離剤を用いると、シリコーン系剥離剤を用いた場合のように液晶画面の表面にシリコーン系剥離剤が移行して表面劣化を引き起こすといったことがない。
【図面の簡単な説明】
【００１８】
【図１】本考案の一実施形態に係る画面クリーナの外観図である。
【図２】図１におけるＹ−Ｙ矢視断面図である。
【図３】前記画面クリーナの把手用シート片を展開した状態を示す側面図である。
【図４】前記把手用シート片を更に折り返して指で摘んだ状態を示す説明図である。
【図５】図４の画面クリーナの粘着面を液晶画面に押し付けた状態を示す説明図である。
【図６】図５の画面クリーナを液晶画面から引き離した状態を示す説明図である。
【図７】前記画面クリーナを折りたたんで使用する態様を示す説明図である。
【図８】図７（ｃ）のように折りたたんだ画面クリーナで液晶画面の隅部を掃除する態様を示す説明図である。
【符号の説明】
【００１９】
１    画面クリーナ
２    シート状本体
２ａ  両端部
３    把手用シート片
４    折り返し部
６    粘着面
９    印刷画像
１０  液晶画面
１１  表示領域
【図１】
0003111305.tif 000003
【図２】
0003111305.tif 000004
【図３】
0003111305.tif 000005
【図４】
0003111305.tif 000006
【図５】
0003111305.tif 000007
【図６】
0003111305.tif 000008
【図７】
0003111305.tif 000009
【図８】
0003111305.tif 000010